(57)【要約】  無線通信ネットワークにおける一つ以上の基地局（ＢＳ）の低デューティサイクルモード（ＬＤＣ）の作業を処理するための方法及びシステムが開示される。本発明の方法は、一つ以上のＢＳに関する複数のＬＤＣパラメータに基づいて一つ以上のＬＤＣパターンを定義するが、複数のＬＤＣパラメータが無線通信ネットワーク内の一つ以上のＢＳの活性周期、非活性周期及び開始フレームオフセットフレームを含む段階を含む。その後、本発明は、一つ以上のＬＤＣパターンを一つ以上のＭＳにブロードキャスティングするか、又は一つ以上のＬＤＣパターンをＭＳにユニキャスティングするか、又は一つ以上のＬＤＣパターンをＭＳのグループにマルチキャスティングするか、又は一つ以上のＬＤＣパターンを事前に準備された方式で一つ以上のＭＳに転送することで一つ以上のパターンそれぞれの可用間隔及び不用間隔を移動局（ＭＳ）通知する。
2013503548.tif 000002
【特許請求の範囲】
【請求項１】
無線通信ネットワークで一つ以上の基地局（ＢＳ）の低デューティサイクルモード（ＬＤＣ）の作業を処理するための方法であって、
一つ以上のＢＳに関する複数のＬＤＣパラメータに基づいて一つ以上のＬＤＣパターンを定義するが、前記複数のＬＤＣパラメータが前記無線通信ネットワーク内の前記一つ以上のＢＳの活性周期、非活性周期及び開始フレームオフセットを含み、
前記ＢＳがフェムトセル基地局及びマクロセル基地局のうち少なくとも一つである段階と、
前記一つ以上のＬＤＣパターンは、移動局（ＭＳ）に転送して前記一つ以上のＬＤＣパターンそれぞれの開始オフセット、可用間隔（Ａｖａｉｌａｂｌｅ  Ｉｎｔｅｒｖａｌ：ＡＩ）及び不用間隔（Ｕｎａｖａｉｌａｂｌｅ  Ｉｎｔｅｒｖａｌ：ＵＡＩ）を通知するが、前記一つ以上のＬＤＣパターンを一つ以上のＭＳにブロードキャスティングする段階と、
前記一つ以上のＬＤＣパターンをＭＳにユニキャスティングする段階と、
前記一つ以上のＬＤＣパターンをＭＳのグループにマルチキャスティングする段階と、
前記一つ以上のＬＤＣパターンを事前に準備された方式で一つ以上のＭＳに転送する段階と、のうち少なくとも一つの段階を利用して前記一つ以上のＬＤＣパターンを転送する段階を含む方法。
【請求項２】
前記一つ以上のＬＤＣパターンを転送する段階は、事前に定義された時間間隔で前記一つ以上のＬＤＣパターンを送信する段階を含む請求項１に記載の方法。
【請求項３】
前記一つ以上のＬＤＣパターンそれぞれに関するインデックスを前記ＭＳに転送するが、前記一つ以上のパターンそれぞれに間する前記インデックスが前記事前に定義された一つ以上のＬＤＣパターンを識別するよう、前記ＭＳよって使用される段階を更に含む請求項１に記載に記載の方法。
【請求項４】
前記一つ以上のＬＤＣパターンの間の関係及び第１ＬＤＣパターンを前記ＭＳに転送するが、前記一つ以上のＬＤＣパターンの間の関係及び前記第１ＬＤＣパターンが前記定義された一つ以上のＬＤＣパターンを識別するよう、前記ＭＳによって使用される段階を更に含む請求項１に記載の方法。
【請求項５】
前記一つ以上のＬＤＣパターンの間の事前に定義された関係に基づいて前記定義された一つ以上のＬＤＣパターンを識別するようにするため、第１ＬＤＣパターンを前記ＭＳに転送する段階を更に含む請求項１に記載の方法。
【請求項６】
前記一つ以上のＬＤＣパターンを転送せよという要請が前記ＭＳから受信される際、前記一つ以上のＬＤＣパターンを前記ＭＳに転送する段階を更に含む請求項１に記載の方法。
【請求項７】
特定のＢＳに関するＬＤＣパターンを転送せよという要請を、ＭＳが特定の基地局アイデンティティ（ＢＳＩＤ）を識別する際、前記ＭＳから受信する段階を更に含む請求項１に記載の方法。
【請求項８】
前記ＭＳによって示された一つ以上の閉鎖型加入者グループアイデンティティ（Ｃｌｏｓｅｄ  Ｓｕｂｓｃｒｉｂｅｒ  Ｇｒｏｕｐ  Ｉｄｅｎｔｉｔｉｅｓ）に関する一つ以上のフェムトセルの一つ以上のＬＤＣパターンを転送せよという要請をＭＳから受信する段階と、
前記識別された一つ以上のＣＳＧＩＤに関する前記一つ以上のフェムトセルに関する一つ以上のＬＤＣパターンを転送する段階と、を更に含む請求項１に記載の方法。
【請求項９】
許容周波数リストが前記無線通信ネットワークから事前に定義される際、前記無線通信ネットワーク内の一つ以上のフェムトセルに関する一つ以上の周波数のインデックスを転送するが、前記一つ以上のフェムトセルが前記無線通信ネットワーク内の前記一つ以上のフェムトセルのうち少なくとも一つ、前記無線通信ネットワーク内の特定のフェムトセルのグループである段階を更に含む請求項１に記載の方法。
【請求項１０】
許容周波数リストが前記無線通信ネットワークから事前に定義されない際、前記無線通信ネットワーク内の一つ以上のフェムトセルそれぞれに関する周波数を転送する段階を更に含む請求項１に記載の方法。
【請求項１１】
動作周波数に関する情報を送信することは、
前記動作周波数に関する前記情報を前記一つ以上のＭＳにブロードキャスティングする段階と、
前記動作周波数に関する前記情報をＭＳにユニキャスティングする段階と、
前記動作周波数に関する前記情報をＭＳのグループにマルチキャスティングする段階と、
前記動作周波数に関する前記情報を事前に定義された時間間隔（ら）で一つ以上のＭＳに転送する段階のうち少なくとも一つの段階を利用して転送する段階と、を更に含む請求項１に記載の方法。
【請求項１２】
前記ＡＩ及び前記ＵＡＩは、前記無線通信ネットワークのスーパーフレームの単位、前記無線通信ネットワークのフレームの単位、前記無線通信ネットワークのサブフレームの単位、及び前記無線通信ネットワークの絶対的時間の単位のうち少なくとも一つを利用して特定される請求項１に記載の方法。
【請求項１３】
無線通信ネットワークにおける一つ以上の基地局（ＢＳ）のＬＤＣモードの作業を処理するための請求項１乃至請求項１２のうちいずれか一つの項に記載のシステム。 
【請求項１４】
図面を参照して記述され説明されたように、無線通信ネットワークにおける一つ以上の基地局（ＢＳ）のＬＤＣモードの作業を処理するための方法。 
【請求項１５】
一つ以上のＢＳに関する複数のＬＤＣパラメータに基づいて一つ以上のＬＤＣパターンを定義するためのプロセッサと、
前記一つ以上のＬＤＣパターンを移動局（ＭＳ）に転送し、前記一つ以上のＬＤＣパターンそれぞれの開始オフセット、可用間隔（ＡＩ）及び不用間隔（ＵＡＩ）を通知するが、前記一つ以上のＬＤＣパターンを一つ以上のＭＳにブロードキャスティングすることと、
前記一つ以上のＬＤＣパターンをＭＳにユニキャスティングすることと、
前記一つ以上のＬＤＣパターンをＭＳのグループにマルチキャスティングすることと、
前記一つ以上のＬＤＣパターンを事前に定義された方式で一つ以上のＭＳに転送することと、のうち少なくとも一つを利用して転送するための送受信機を含む通信ネットワークエンティティ。 
【発明の詳細な説明】
【技術分野】
【０００１】
本発明は、全般的に移動通信分野に関するものである。更に詳しくは、本発明は、フェムトセルにおける低デューティモード（Ｌｏｗ  Ｄｕｔｙ  Ｍｏｄｅ）を効率的に支援する分野に関するものである。
【背景技術】
【０００２】
フェムトセルは一般的に通常のマクロＢＳとは異なって、家庭や小規模オフイス、ホームオフィス（ＳＯＨＯ）での使用のための低電力基地局（ＢＳ）である。ＳＯＨＯは、無線移動通信システムで一般的に使用される高電力基地局である。また、フェムトセルは、事前加入された及び／又は構成された移動局（ＭＳ）のみが許容される閉鎖型加入者グループ（Ｃｌｏｓｅｄ  Ｓｕｂｓｃｒｉｂｅｒ  Ｇｒｏｕｐｓ：ＣＳＧ）のＢＳとして配置され得る。フェムトセルはまた、全ての加入者が通信のためにフェムトセルにアクセルできるようにする開放型加入者グループ（Ｏｐｅｎ  Ｓｕｂｓｃｒｉｂｅｒ  Ｇｒｏｕｐ：ＯＳＧ）フェムトセルであるように構成され得る。
【０００３】
地理的位置において、無線通信を支援するようにするフェムトセルの粗密な配置が存在し得る。しかし、このような配置は、フェムトセルの間における相互干渉を避けられない。例えば、フェムトセルの近くにあるマクロセル使用者は、フェムトセルからの干渉を経験し得る。同じく、フェムトセルの使用者はダウンリンク（ＤＬ）の際マクロセルからの干渉を経験し得る。同じく、フェムトセルＢＳは、アップリンク（ＵＬ）の際近くのマクロセル使用者からの干渉を経験し得る。同じく、フェムトセルは近くのフェムトセルの動作に干渉を起こし得る。
【０００４】
このようなシナリオにおいて、自己組織ネットワーク（Ｓｅｌｆ  Ｏｒｇａｎｉｚｉｎｇ  Ｎｅｔｗｏｒｋ：ＳＯＮ）は干渉を自動的に緩和させるのに使用されてもよい。一方、ＣＳＧフェムトセルには、相当時間そのようなフェムトセル下にいかなる使用者もいないというシナリオが存在し得る。例えば、昼間、使用者はオフイスにいて、そのような理由から使用者の家庭におけるフェムトセルＢＳはシステム情報をブロードキャスティングし、近くのフェムトセル／マクロセル使用者に干渉を起こして電力を浪費しているだけでなく、近くのフェムトセル／マクロセル使用者に干渉を起こしている。このような干渉シナリオは、フェムトセル及びマクロセルが同じ周波数割当（ＦＡ）に配置される状況で明確に明らかである。
【０００５】
フェムトセルからの干渉を減少させ、フェムトセルの作動電力を節減するためには、フレムセルが活性及び比活性の周期でスイッチングされる低デューティ動作（ＬＯＤ）モードにフェムトセルをスイッチングさせることを提案する方法がある。従って、フェムトセルは活性周期の間自らのプリアンブルをブロードキャスティングする一方、フェムトセルは非活性周期の間自らのプリアンブル送信を同じく中止する。フェムトセルはＭＳがそのフェムトセル下に来るようになり、そのフェムトセルがそのＭＳに関して順応するまで低デューティサイクル（ＬＤＣ）にあり得る。
【発明の概要】
【発明が解決しようとする課題】
【０００６】
しかし、ＬＤＣモードでフェムトセルを効率的にスキャンし、検索するようにどのようにＭＳに役に立つかに対する重要な事項は存在しない。
従って、フェムトセルのＬＤＣモード動作の効率的な作業を提供する方法が必要となる。
【課題を解決するための手段】
【０００７】
本発明の様態は、少なくとも上述した課題及び／又は短所を解決し、少なくとも下記で説明される長所を提供することである。従って、本発明の様態は、通信ネットワークにおける管理メッセージを送信及び受信するシステム及び方法を提供することである。
【０００８】
本発明の様態によって、無線通信ネットワークで一つ以上の基地局（ＢＳ）の低デューティサイクルモード（ＬＤＣ）の作業を処理するための方法が提供される。この方法は、一つ以上のＢＳに関する複数のＬＤＣパラメータに基づいて一つ以上のＬＤＣパターンを定義する段階を含むが、ここで複数のＬＤＣパラメータが無線通信ネットワーク内の一つ以上のＢＳの活性周期、非活性周期及び開始フレームオフセットを含む。ＢＳは、フェムトセル基地局及びマクロセル基地局のうち少なくとも一つである。次に、この方法は一つ以上のＬＣＤパターンを移動局（ＭＳ）に転送し、一つ以上のパターンそれぞれの可用間隔（Ａｖａｉｌａｂｌｅ  Ｉｎｔｅｒｖａｌ：ＡＩ）及び不用間隔（Ｕｎａｖａｉｌａｂｌｅ  Ｉｎｔｅｒｖａｌ：ＵＡＩ）を通知するが、一つ以上のＬＤＣパターンを一つ以上のＭＳにブロードキャスティングする段階、一つ以上のＬＤＣパターンをＭＳにユニキャスティングする段階、一つ以上のＬＤＣパターンをＭＳのグループにマルチキャスティングする段階、及び一つ以上のＬＤＣパターンを事前に準備された方式で一つ以上のＭＳに転送する段階のうち少なくとも一つの段階を利用して転送する段階を含む。
【０００９】
本発明の他の様態によって、通信エンティティが提供される。この通信エンティティはプロセッサ及び送受信機を含む。通信エンティティ内のプロセッサは一つ以上のＢＳに関する複数のＬＤＣパラメータに基づいて一つ以上のＬＤＣパターンを定義するが、複数のＬＤＣパラメータは無線通信ネットワーク内の一つ以上の活性周期、非活性周期及び開始フレームオフセットを含む。その後、通信エンティティ内の送受信機は前記一つ以上のＬＤＣパターンを移動局（ＭＳ）に転送して一つ以上のＬＤＣパターンそれぞれの可用間隔（ＡＩ）及び不用間隔（ＵＡＩ）を通知するが、一つ以上のＬＤＣパターンを一つ以上のＭＳにブロードキャスティングすること、一つ以上のＬＤＣパターンをＭＳにユニキャスティングすること、一つ以上のＬＤＣパターンをＭＳのグループにマルチキャスティングすること、及び一つ以上のＬＤＣパターンを事前に定義された方式で一つ以上のＭＳに転送することのうち少なくとも一つを利用して転送する。 
【００１０】
本発明の他の様態、長所及び目立つ特徴は、添付した図面と結びつけて本発明の例示的な実施例を記述する下記の詳細な説明から当業者には明白になるはずである。
【図面の簡単な説明】
【００１１】
本発明の特定の例示的な実施例の上述した様態、機能及び長所とその他の態様、特徴及び長所は、添付した図面と結び付けて成された下記の説明から更に明白になるはずである。
【図１】従来技術によって発明の多様な実施例が実行される環境を示す図である。
【図２】本発明の例示的な実施例による例示的なＬＤＣパターンを図示する。
【図３】本発明の一実施例によって無線通信ネットワークにおける一つ以上の基地局（ＢＳ）の低デューティサイクル（ＬＤＣ）モードの作業を処理する方法を説明する順序図である。
【図４】本発明の例示的な実施例によって相異なるスーパーフレーム番号（Ｓｕｐｅｒ  Ｆｒａｍｅ  Ｎｕｍｂｅｒｓ：ＳＦＮ）を有するＳＦＮ非同期無線セルラーシステム内の２つのセルを説明する図である。
【図５】本発明の例示的な実施例によってＭＳがＳＦＮ非同期無線セルラーシステムにおける相異なるスーパーフレーム番号（ＳＦＮ）を有する一つのセルからそのような他のセルに移動している際、ＬＤＣパターンの開始オフセットを計算する方法を示す図である。
【００１２】
当業者であれば、図面の要素が簡素性及び簡潔性のために図示され、縮尺通り図示されていない可能性もあるということが理解できるはずである。例えば、図面の要素のうち一部要素の寸法は、本発明の多様な例示的な実施例の理解を改善するのに役に立つようにするため、他の要素に対して相対的に誇張されている可能性がある。
【００１３】
図面において、同じ参照符号は同じであるか類似した構成要素、特徴、又はその構造を示す。
【発明を実施するための形態】
【００１４】
添付した図面を参照した下記の説明は、請求項及びそれらの均等物によって定義されるように、本発明の例示的な実施例の包括的な理解を助けるように提供される。その説明は理解を助けるために多様な特徴細部事項を含むが、単に例示的なものとして見なされるべきである。従って、当業者であれば、本発明の範疇及び思想から逸脱しなくても本出願に説明された実施例の多様な変更物及び変形物が形成され得るということを認知できるはずである。また、周知の機能及び構造に対する説明は、明瞭性及び簡潔性のために省略する。
【００１５】
下記の説明及び特許請求の範囲で使用される用語及び単語は字義的な意味に限られず、むしろ発明の明瞭で一貫性のある理解を可能にするためにのみ発明家によって使用される。従って、本発明の例示的な実施例に対する下記の説明は単に例示のために提供されるだけであって、添付した請求項及びそれらの均等物によって定義されるように本発明を限定する目的で提供されることではないということは、当業者にとって明白であるはずである。
単数形態の表示は、これとは異なって文脈上明確に表示されていないのであれば複数の対象物を含むということが理解できるはずである。従って、例えば、「コンポーネントの表面」に対する言及は、そのような表面のうち一つ以上のものに対する言及を含む。
【００１６】
「実質的に」という用語によると、引用された特性、パラメータ、又は値を正確に達成する必要があるということではなく、特性が提供することとして意図された効果を排除しない量において、例えば、許容誤差、測定エラー、測定正確度の限定事項、又は当業者に公知のその他の因子を含む偏差又は分散が発生し得るということとして意図される。
【００１７】
下記で説明される図１乃至図５、及び特許文献で本発明の原理を説明するのに使用される多様な実施例は単に例示のためのものであり、本発明の範疇を限定するいかなる方法としても理解されてはいけない。当業者であれば、本発明の原理が任意の適合して配置された通信システムで具現され得るということが理解できるはずである。多様な実施例を説明するのに使用される用語は例示的である。このようなものは単に説明の理解を助けるために提供され、それらの用途及び定義は本発明の範疇をいかなる方法としても限定しないということが理解されなければならない。第１、第２などの用語は同じ用語を有する客体を区別するのに使用され、他の方法で明示的に記述されない場合であれば、いかなる方法としても時間的順番を表現するものとして意図されない。セットは、少なくとも一つの要素を含む非空セット（ｎｏｎ−ｅｍｐｔｙ  ｓｅｔ）として定義される。 
【００１８】
図１は、従来技術による発明の多様な実施例が実行される環境を示す図である。
図１を参照すると、フェムトセルの粗密な配置が考慮されている。従って、配置されたフェムトセルは、それら全てが同じ周波数上で配置されると互いに干渉し合うようになるということは当然である。干渉の問題は、フェムトセル及び重畳されるマクロセルが同じ周波数上に配置される場合に更に悪化され得る。しかし、同じ周波数配置は排除され得ない。例えば、フェムトセルに隣接したマクロセル使用者はフェムトセルからの干渉を経験することができ、フェムトセル使用者はダウンリンク（ＤＬ）の際マクロセルからの干渉を経験し得る。
【００１９】
また、フェムトセルＢＳは、アップリンク（ＵＬ）の際近くのマクロセル使用者からの干渉を経験し得る。同じく、フェムトセルは、図１に示したように近くのフェムトセルの動作に干渉を起こし得るが、ここでフェムトセル（ＢＳ１）１０４によってサービスされる第１移動局（ＭＳ１）１０２が第２移動局（ＭＳ２）１０８をサービスしているマクロセル１０６によって送信された信号によって強い干渉を経験し得る。同じく、マクロセル１０６によってサービスされる第３移動局（ＭＳ３）１１０は、ＵＬの際第４移動局（ＭＳ４）１１２に強い干渉を起こし得る。
【００２０】
従って、一般的な閉鎖型加入者グループ（ＣＳＧ）のフェムトセル配置シナリオでは、それらの通信領域下にいかなる使用者もいない場合であっても、事実上、多くのＣＳＧフェムトセルがプリアンブル及び他のシステム情報を常にブロードキャスティングするということは当然である。例えば、ホームでの使用というシナリオでは、使用者が家にいない場合、家庭にあるＣＳＧフェムトセルがいかなる使用者もサービスしていないが、ＣＳＧのフェムトセルが依然として普通のようにプリアンブル及び他のシステム情報をブロードキャスティングするということを暗示する。これは、ＣＳＧフェムトセルの動作電力を浪費するだけでなく、近くのフェムトセル／マクロセル使用者に不必要な干渉を起こす恐れがある。
【００２１】
図２は、本発明の例示的な実施例による例示的なＬＤＣパターンを示す図である。
図２を参照すると、明瞭性のために２つのＬＤＣパターンが図示される。図示された２つのＬＤＣパターンは単に明瞭性及びより良い理解のためのものであり、いかなる場合でも図示されたＬＤＣパターンで本発明の範疇を限定しない。従って、当業者であれば任意の他のＬＤＣパターンを説明し得る。図２に示したＬＤＣパターンは、第１ＬＤＣパターン２０２及び第２ＬＤＣパターン２０４である。ＬＤＣパターンは、本発明の方法で他のフェムトセル及びＭＳに対する干渉を減少させるのに使用される。例えば、フェムトセルのカバレッジにいかなるＭＳもない場合、そのフェムトセルは他のものに対する干渉を減少させるために低デューティサイクル（ＬＤＣ）モードに進入してもよい。図２に示したパターンに示されたように、フェムトセルが可用間隔（ＡＩ）及び不用間隔（ＵＡＩ）のサイクルにスイッチングされる際、フェムトセルは低デューティ動作モードにスイッチングされる。
【００２２】
ＡＩにおいて、フェムトセルは正常動作モードでのように自らのプリアンブル及びシステム情報をブロードキャスティングする。しかし、ＵＡＩの間、フェムトセルはいかなるものも送信せず、フェムトセルの受信機は停止され得る。このようなパターンはＭＳによって受信され、ＭＳが特定フェムトセルのＡＩの開始を識別するようにする。これはまた、ＭＳがフェムトセルの効率的なスキャニングを行うようにする。
【００２３】
一実施例において、ＬＤＣパターンは一つ以上のフェムトセルに関するＡＩ，ＵＡＩ及び開始オフセットを含む。フェムトセルがＬＤＣモードから離れるようにスイッチングされるまで、ＡＩ及びＵＡＩのサイクルは周期的に続けられる。一実施例において、ＡＩ及びＵＡＩは無線通信システムのスーパーフレームの単位で特定され得る。他の実施例では、ＡＩ及びＵＡＩが無線通信システムのフレームの単位で特定され得る。更に他の実施例では、ＡＩ及びＵＡＩが無線通信システムのサブフレームの単位で特定され得る。更に他の実施例では、ＡＩ及びＵＡＩが無線通信システムの絶対的な時間の単位で特定され得る。
【００２４】
一実施例において、定義された一つ以上のＬＤＣパターンは、ＢＳ及び両方共に公知される事前に定義された表のインデックス番号を使用するＢＳによって参照され得る。表は、ＡＩ数、ＵＡＩ数及び開始オフセットを含んでもよい。この説明のために、例示的な表（表１）が下記に示される。
【００２５】
【表１】
2013503548.tif 000003
【００２６】
一実施例において、地域的な地理的領域にある一つ以上のフェムトセルが相異なる周波数割当（ＦＡ）で動作し、類似したＬＤＣパターンを有するのであれば、フェムトセルはＭＳがより速くそれらを発見できるようにするために非重畳パターンを有しなければならない。従って、相異なるＦＡにあるフェムトセルが重畳パターンを有する場合、ＭＳは相異なるＦＡ上からフェムトセルの存在を発見するためにパターンの次のＡＩの時まで待たなければならない。従って、相異なるＦＡ上のフェムトセルが非重畳パターンを有するのであれば、ＭＳはＬＤＣパターンのＡＩの次の発生以前に、相異なるＦＡ上でフェムトセルの存在を発見することができる。
【００２７】
図３は、本発明の一実施例によって無線通信ネットワークにおける一つ以上の基地局（ＢＳ）の低デューティサイクル（ＬＤＣ）モードの作業を処理する方法を説明する順序図である。
【００２８】
図３を参照すると、方法がステップ３０２で開示される。一実施例において、方法３００は通信ネットワークエンティティで行われる。通信ネットワークエンティティの一例は、無線通信ネットワークの基地局である。ステップ３０４において、一つ以上のＬＤＣパターンは一つ以上のＢＳに関する複数のＬＤＣパラメータに基づいて定義される。一実施例において、複数のＬＤＣパラメータは無線通信ネットワーク内の一つ以上のＢＳ活性周期、非活性周期及び開始フレームオフセットを含む。一実施例において、ＢＳはフェムトセル基地局及びマクロセル基地局のうち少なくとも一つである。一実施例において、ステップ３０４は通信ネットワークエンティティのプロセッサによって行われる。
【００２９】
ステップ３０６において、本発明の方法は一つ以上のＬＤＣパターンを移動局（ＭＳ）に転送し、一つ以上のパターンそれぞれの開始フレームオフセット、可用間隔（ＡＩ）及び不用間隔（ＵＡＩ）を通知する。一実施例において、一つ以上のＬＤＣパターンは一つ以上のＬＤＣパターンを一つ以上のＭＳにブロードキャスティングすることで転送される。一実施例において、一つ以上のＬＤＣパターンはＭＳにユニキャスティングされる。一実施例において、ＬＤＣパターンは一つ以上のＬＤＣパターンをＭＳのグループにマルチキャスティングすることで転送される。一実施例において、ＬＤＣパターンは事前に定義された方式で一つ以上のＭＳに転送される。一実施例において、ステップ３０６は通信ネットワークエンティティの送受信機によって行われる。
【００３０】
一実施例において、一つ以上のＬＤＣパターンは事前に定義された時間間隔で一つ以上のＭＳに転送される。定義された一つ以上のＬＤＣパターンは、ＭＳがフェムトセルを効率的に検索できるようにするためにＭＳに転送される。そうでなければ、ＭＳはバッテリの寿命に大きく影響を及ぼす恐れがある相当長い期間の間フェムトセルを検索しなければならない。一つ以上のＬＤＣパターンは、明示的に又は暗示的にシグナリングされ得る。
【００３１】
本発明の方法はまた、一つ以上のＬＤＣパターンそれぞれに関するインデックスをＭＳに転送し得る。一つ以上のＬＤＣパターンそれぞれに関するインデックスは、定義された一つ以上のＬＤＣパターンを識別するようにするためＭＳによって使用される。一実施例において、本発明の方法は、一つ以上のＬＤＣパターンの間の関係及び第１ＬＤＣパターンをＭＳに転送する。従って、一つ以上のＬＤＣパターンの間における関係及び第１ＬＤＣパターンは、定義された一つ以上のＬＤＣパターンを識別するようにするためＭＳによって使用される。
【００３２】
一実施例では、一つ以上のＬＤＣパターンが、ＭＳからＬＤＣパターンを転送せよという要請が受信される際ＭＳに転送される。一実施例では、特定のＢＳに関するＬＤＣパターンが、ＭＳからその特定のＢＳに関するＬＤＣパターンを転送せよという要請が受信される際転送される。これは、ＭＳがその特定ＢＳの基地局アイデンティティ（ＢＳＩＤ）を識別する場合に行われる。他の実施例においては、ＭＳが特定位置の閉鎖型加入者グループアイデンティティ（ＣＳＧＩＤ）を識別する際、ＭＳから一つ以上のＬＤＣパターンを転送せよという要請が受信されると、一つ以上のフェムトセルに関する一つ以上のＬＤＣパターンが転送される。
【００３３】
一実施例において、本発明の方法３００は、許容周波数のリストがネットワークで事前に定義されている場合、その無線通信ネットワーク内の一つ以上のフェムトセルに関する一つ以上の周波数のインデックスを転送する。その実施例において、一つ以上のフェムトセルはその無線通信ネットワーク内の全てのフェムトセルのうち少なくとも一つ、その無線通信ネットワーク内の特定のフェムトセルのグループである。また、許容周波数のリストがネットワークで事前に定義されていない場合、無線通信ネットワーク内の一つ以上のフェムトセルそれぞれに関する周波数もＭＳに転送され得る。同じく、許容周波数のリストがネットワークで事前に定義されていない場合、無線通信ネットワーク内の特定のフェムトセルグループのフェムトセルそれぞれに関する周波数がＭＳに転送され得る。
【００３４】
一実施例において、動作周波数に対する情報は一つ以上の転送方法によってＭＳに転送される。動作周波数を転送する方法の一つは、動作周波数に対する情報を一つ以上のＭＳにブロードキャストすることである。他の方法は、動作周波数に対する情報をＭＳにユニキャスティングすることである。また、情報は特定のグループにマルチキャスティングされてもよい。情報はまた、事前に定義された時間間隔で一つ以上のＭＳに転送されてもよい。
【００３５】
一実施例において、マクロセルＢＳはマクロセルのカバレッジ領域下の全てのフェムトセルの一つ以上のＬＤＣパターンをシグナリングし得るか、又はその代案として、マクロセルＢＳはカバレッジ領域下の全てのフェムトセルのＬＤＣパターンをシグナリングすること以外にも、ＭＳによってアクセル可能な全てのＣＳＧフェムトセルのＬＤＣパターンをシグナリングし得る。他の実施例において、マクロセルＢＳは、ＭＳの位置情報がマクロセルＢＳに使用し得るのであれば、ＭＳの近くにあるフェムトセルのみのＬＤＣパターンをシグナリングする。また、マクロセルＢＳは、ＭＳの近くにある全てのＯＳＧフェムトセル及びアクセス可能なＣＳＧフェムトセルのみをシグナリングし得る。
【００３６】
一実施例では、フェムトセルは全てのアクセス可能なＣＳＧフェムトセルＢＳ及び隣のフェムトセルＢＳのうち全てのＯＳＧフェムトセルＢＳのＬＤＣパターン、又は全ての隣のフェムトセルのＬＤＣパターンをＭＳにシグナリングし得る。一実施例において、ＬＤＣパターンは、例えば表の形式に静的に固定されてもよく、ＬＤＣパターンのインデックスのみがＬＤＣパターンの静的に定義された表に基づいてシグナリングされ得る。
【００３７】
ＬＤＣＰａｔｔｅｒｎＩｎｄｅｘによってインデキシングされるＬＤＣパターンの表が定義され得る。ＬＤＣＰａｔｔｅｒｎＩｎｄｅｘは、特定のＡＩ及びＵＡＩを示す。従って、ＬＤＣＰａｔｔｅｒｎＩｎｄｅｘが分かると、ＭＳはＡＩ及びＵＡＩを知ることができる。パターンの例示的なリストは前記表１に示されている。マクロセルＢＳ／フェムトセルＢＳは、フェムトセルによって使用されるＬＤＣＰａｔｔｅｒｎＩｎｄｅｘをシグナリングし得る。マクロセルＢＳは、このマクロセルＢＳ下のフェムトセルによって使用されるＬＤＣＰａｔｔｅｒｎＩｎｄｅｘ（ｅｓ）をシグナリングし得る。マクロセルＢＳは、全ての又は一部のフェムトセルＢＳに対するこの情報をシグナリングし得る。同じく、フェムトセルＢＳは、全ての又は一部の隣のフェムトセルに対するＬＤＣＰａｔｔｅｒｎＩｎｄｅｘをシグナリングし得る。
【００３８】
従って、ＭＳはいかなるＬＤＣパターンが近くのフェムトセルによって使用されるのかが分かる。そうなると、相異なるフェムトセルは表示されたパターンのうち相異なるパターンを採用し得るため、ＭＳは一度に一つのパターンを取る順次検索を採用し得る。パターン自体が互いの倍数である場合、順次検索が更に最適化され得る。これは、パターンのＡＩ及びＵＡＩが増加／減少する倍数方式で定義されるということを効果的に暗示する。これは図２に示されるが、ここで全てのパターンのＡＩの開始は最低周期性を有するＬＤＣパターンの倍数にある。例えば、第１ＬＤＣＰａｔｔｅｒｎＩｎｄｅｘのＡＩは第１ＬＤＣＰａｔｔｅｒｎＩｎｄｅｘＡＩの毎２回目の発生と一致する。
【００３９】
【表２】
2013503548.tif 000004
【００４０】
一実施例では、フェムトセルのＬＤＣパターンの明示的シグナリングを避ける暗示的シグナリングメカニズムが使用され、これによってＭＳがフェムトセルのＬＤＣパターンを構成するようにする一部の必須情報のみがシグナリングされる。全てのパターンの情報をＬＤＭＰａｔｔｅｒｎＴａｂｌｅＴＬＶとしてＭＳに提供する目的で新たなＴＬＶが定義される。例示的なＴＬＶ形式を下記に図示する。
【００４１】
【表３】
2013503548.tif 000005
【００４２】
一実施例において、ＬＤＭＰａｔｔｅｒｎＴａｂｌｅＴＬＶはＭＳによって要請される際、隣の広告メッセージ、例えばＡＡＩ＿ＮＢＲ−ＡＤＶメッセージでブロードキャスティングされるか、又はスキャニング応答メッセージ、例えばＡＡＩ＿ＳＣＮ−ＲＳＰでユニキャスティングされてもよく、又はネットワークによって事前に準備されてもよい。例えば、最小サイクル（ＡＩ＋ＵＡＩ）パターンのＡＩ及びＵＡＩはＡＩ０及びＵＡＩ０である。その後、（より大きいサイクルを有する）次のパターンはＡＩ１及びＵＡＩ１として定義されるが、この場合ＡＩ１＝ＡＩ０であり、ＵＡＩ１＝｛（ＡＩ０＋ＵＡＩ０）＊ＭｕｌｔｉｐｌｉｃａｔｉｖｅＦａｃｔｏｒ−ＡＩ０｝である。次に高いサイクルパターンも類似して定義される。パターンの数は、ＮｕｍｂｅｒＯｆＰａｔｔｅｒｎによって提供される。他の実施例において、ＬＤＣＰａｔｔｅｒｎＩｎｄｅｘのシグナリングは事前に定義される多様なＬＤＣパターンであってもよく、ＭＳは順次的に検索して一度に一つのパターンを取る。
【００４３】
一実施例において、マクロセルＢＳ／フェムトセルＢＳは、順番にマクロセル／フェムトセル下に隣接したフェムトセルによって使用され得る他の全てのパターンインデックスを示すたった一つのＬＤＣＰａｔｔｅｒｎＩｎｄｅｘのみをシグナリングし得る。これはパターン間の関係自体が存在する場合に行われる。従って、一つのそのような関係は、表２に示したような倍数関係であってもよい。このような場合、ＢＳは最低周期性のＬＤＣＰａｔｔｅｒｎＩｎｄｅｘをシグナリングすることができ、それによってＭＳは単に最小のシグナリングされた周期性を有するパターンのみを見ることができる。例えば、ＢＳがＬＤＣＰａｔｔｅｒｎＩｎｄｅｘを３以上としてシグナリングすると、ＭＳはＬＤＣＰａｔｔｅｒｎＩｎｄｅｘ３以上を有するパターンのみがフレムとセルによって使用されると判定することができ、従ってＭＳはそのようなパターンに対してのみフェムトセルをスキャニングすることができる。
ＭＳは、特定のフェムトセルに対するパターン情報を要請し得る。ＭＳはこのような目的のため、例えば、新たなＴＬＶ「ＬＤＭＰａｔｔｅｒｎＩｎｆｏＲｅｑＴＬＶ」を使用してもよく、これは下記のように定義される。
【００４４】
【表４】
2013503548.tif 000006
【００４５】
ＬＤＣＰａｔｔｅｒｎＩｎｆｏＲｅｑＴＬＶはまた、隣の広告又はスキャニング応答ＡＡＩ＿ＮＢＲ−ＲＥＱ／ＡＡＩ＿ＳＣＮ−ＲＥＱメッセージ含まれてもよい。また、ＢＳはＭＳによる要請のように特定のフェムトセルに対する情報を提供し得るか、又はＢＳは下記の表に示したように定義され得る、例えば、新たなＴＬＶ「ＬＤＭＰａｔｔｅｒｎＩｎｆｏＴＬＶ」を使用して全てのフェムトセルに対する一般的な情報を提供し得る。 
【００４６】
【表５】
2013503548.tif 000007
【００４７】
一実施例において、フェムトセルの動作ＦＡはマクロセルＢＳ下のフェムトセルに対してそのマクロセルＢＳによってシグナリングされ得るか、又は、代案としてマクロセルＢＳが全体システムに対するフェムトセルの動作ＦＡをシグナリングし得る。また、フェムトセルＢＳは全体システムにおけるフェムトセルのＦＡをシグナリングし得るか、又は隣のフェムトセルのＦＡのみをシグナリングし得る。ＦＡｉｎｄｅｘは、ＦＡのシグナリングされたリストからＦＡのインデキシングを示す。
【００４８】
他の実施例において、ＦＡｉｎｄｅｘはフェムトセルが意図されるようにする無線通信システムの仕様に従ってＦＡの事前に定義されたインデックスを示す。これは、フェムトセルの属する無線通信システムで許容される全体帯域における中心動作周波数の周波数インデックスであってもよい。代案として、ＭＳが無線通信ネットワークに初期ネットワーク進入を行う際、フェムトセルによって使用されるＦＡのリストが事前に準備され得る。他の代案として、ＬＤＣＰａｔｔｅｒｎＩｎｄｅｘのＬＤＣパターン関連情報及び／又はＦＡリストは、要請の際又は望みではない方式でマクロセルＢＳ又はフェムトセルＢＳによってＭＳにユニキャスティングされ得る。ステップ３０８において、本発明の方法３００が終了される。
【００４９】
図４は、本発明の例示的な実施例によって相異なるスーパーフレーム番号（Ｓｕｐｅｒ  Ｆｒａｍｅ  Ｎｕｍｂｅｒｓ：ＳＦＮ）を有するＳＦＮ非同期無線セルラーシステムにおける２つのセルを示す図である。
【００５０】
ＬＤＣパターンの開始オフセットは、ＭＳがフェムトセルによって使用されたＦＡのリストを獲得するマクロセルＢＳ又はフェムトセルＢＳのＳＦＮと関わり得る共通基準時間に関して定義され得る。例えば、セル４０２に関するＳＦＮ及びセル４０４に関するＳＦＮはＭＳによって受信され得る。一実施例において、セル特定オフセット（Ｃｅｌｌ  Ｓｐｅｃｉｆｉｃ  Ｏｆｆｓｅｔ：ＣＳＯ）はセル４０２のＳＦＮ及びセル４０４のＳＦＮを使用して計算される。ＣＳＯはフェムトセルのＬＤＣパターンの開始オフセットを計算するのに使用される。例えば、セル４０２において、ＣＳＯはセル４０４のＳＦＮに関して３になるが、これはセル４０２がフレーム番号２で始まり、セル４０４がフレーム番号５で始まるためである。
【００５１】
従って、ＭＳはＭＳがセル４０４下にある際、そのセル４０４によって提供されるＬＤＣパターン４０６の開始オフセットを使用し得る。また、ＭＳは、ＭＳがセル４０２下にある際、セル４０２によって提供される開始オフセット及びセル４０４のＣＳＯに基づいてＬＤＣパターン４０６の開始オフセットを使用し得る。このようなシナリオにおいて、ＬＤＣパターンの開始オフセットを計算することに対する詳細な説明は図５と結びつけて説明される。
【００５２】
図５は、本発明の例示的な実施例によってＭＳがＳＦＮ非同期無線セルラーシステムにおける相異なるＳＦＮを有する一つのセルから他のセルに移動している際のＬＤＣパターンの開始オフセットを計算する方法を示す図である。
【００５３】
図５を参照すると、開始オフセットはＳＦＮｓｔａｒｔで表記され、フェムトセルのＦＡはＦＡｉｎｄｅｘで表記され、ＬＤＣパターンの可用間隔はＡＩで表記され、不用間隔はＵＡＩで表記される。ＣＳＯはマクロセル又はフェムトセルのＳＦＮ獲得するのに使用されるが、ここでＳＦＮはＭＳがＦＡリスト／ＬＤＣパターン情報を獲得するようになったマクロセル又はフェムトセルに関して示されたフェムトセルのＬＤＣパターンのＡＩの開始を示す。 
【００５４】
一実施例において、相異なるセル、例えばフェムトセル又はマクロセルは、図５に示したように、相異なるＳＦＮを同時に有していてもよい。例えば、セル５０２及びセル５０４両方共がＡＩを０として、ＵＡＩを３として、ＬＤＣパターンを１として有し、そうするとＣＳＯはフェムトセルのＬＤＭ情報を提供しているセルに関してＬＤＭパターンのＡＩの開始を示すＳＦＮオフセットとして定義され得る。ＣＳＯは、０である際はシグナリングされる必要がない。ＳＦＮＳｔａｒｔはＭＳがＦＡリストの情報を獲得したマクロセル又はフェムトセルのＳＦＮであり、下記の数式を使用して決定され得る。
【００５５】
【数１】
2013503548.tif 000008
【００５６】
ＬＤＣパターンの開始オフセットは、フェムトセルのＢＳの動作ＦＡに基づいて内在的に計算され得る。共通基準時間は、開始オフセットの内在的計算のために要求される。一実施例において、ＭＳがＦＡリスト情報を獲得したマクロセルＢＳ又はフェムトセルＢＳのＳＦＮはＬＤＣパターンの開始オフセットを内在的に計算するための基準として使用され得る。
【００５７】
本発明の例示的な実施例は、無線通信ネットワーク内の一つ以上の基地局（ＢＳ）の低デューティサイクル（ＬＤＣ）モードの作業を処理する方法及びシステムを提供する。本発明の方法は、ＬＤＣパターン情報をＭＳに提供し、それによってＭＳが効率的な方法でフェムトセルのスキャニングを行えるようにして、ＭＳのバッテリ電源を保存するようにする。また、本発明の方法はＬＤＣモード動作に関する無線インタフェースオーバーヘッドを最小化するＢＳとＭＳの間の信号メカニズムを提供する。
【００５８】
上述した説明では、本発明及びその長所が例示的な実施例を参照して説明された。しかし、下記特許請求の範囲で明示されるように、本発明の範疇から逸脱しない多様な変形及び変更が行えるということは当業者にとって明白なはずである。従って、説明及び図面は限定的な意味ではなく、むしろ本発明の例示的な実施例として見なされるべきである。このような全ての可能な変形は、本発明の範疇内に含まれるものとして意図される。
【００５９】
本発明の例示的な実施例は、本出願に説明された技術を具現するためのコンピュータシステムの使用に関わる。一例示的な実施例において、技術はメモリに含まれた情報を使用してプロセッサによって行われる。このような情報は貯蔵ディバイスのようなマシン−判読可能媒体からメインメモリ内に判読され得る。メモリに含まれた情報は、プロセッサをして本出願に説明された方法を行うようにする。
【００６０】
本出願で使用されるような「マシン−判読可能媒体」という用語は、マシンが特定方式で動作するようにするデータを提供するのに関わる任意の媒体を指す。コンピュータシステムを使用して具現される例示的な実施例において、多様なマシン−判読可能媒体は、例えば、実行のためにプロセッサに情報を提供する際に伴う。マシン−判読可能媒体は貯蔵媒体であってもよい。貯蔵媒体は、非揮発性媒体及び揮発性媒体両方共を含む。非揮発性媒体は、例えば、サーバ貯蔵ユニットのような光学的又は磁気的ディスクを含む。揮発性媒体は、動的メモリを含む。このような全ての媒体は有形的なものであり、媒体によって伝達された情報がその情報をマシン内に判読する物理的メカニズムによって検出されるようにするものでなければならない。 
【００６１】
マシン−判読可能媒体の共通的な形態は、例えば、フロッピー（登録商標）ディスク、フレキシブルディスク、ハードディスク、磁気テープ又は他の磁気的媒体、ＣＤ−ＲＯＭ、任意の他の光学媒体、穿孔カード、紙テープ、穴パターンを有する任意の他の物理的媒体、ＲＡＭ，ＰＲＯＭ及びＥＰＲＯＭ，フラッシュ−ＥＰＲＯＭ，任意の他のメモリチップ又はカートリッジを含む。
【００６２】
一般的な実施例において、マシン−判読可能媒体は、バスを含むワイヤを含んだ同軸ケーブル、銅線及び光ファイバーを含む送信媒体であってもよい。送信媒体はまた、無線波及び赤外線データ通信のうち発生するもののような、音響及び光波の形態を取ってもよい。マシン−判読可能媒体の例は、搬送波、又はコンピュータが判読し得る任意の他の媒体、例えば、オンラインソフトウェアダウンロードリンク、設置リンク及びオンラインリンクを含んでもよいが、これに限ることはない。
【００６３】
本発明は特定の例示的な実施例を参照して図示され説明されているが、当業者であれば、形態及び細部事項における多様な変更が添付した請求項及びこれらの均等物によって定義された本発明の思想及び範疇から逸脱しなくても行えるということが理解できるはずである。
【符号の説明】
【００６４】
２０２  第１ＬＤＣパターン
２０４  第２ＬＤＣパターン
４０２  セル
４０４  セル
【図１】
2013503548.tif 000009
【図２】
2013503548.tif 000010
【図３】
2013503548.tif 000011
【図４】
2013503548.tif 000012
【図５】
2013503548.tif 000013
【国際調査報告】
2013503548.tif 000014
2013503548.tif 000015
2013503548.tif 000016